(57)【特許請求の範囲】
【請求項１】
様々な形状の複数のパーツを組み合わせて構成され、各パーツは、接合部がそれぞれ設けてあり、接合部は、所定の長さの筒体と、筒体の外周面に取付けた全ネジボルトを有し、全ネジボルトをパーツに形成した孔に挿入し、孔から突き出た全ネジボルトにナットを螺合して締め付けることで、筒体の外周面をパーツに当接又は近接して固定して取付けてあり、互いのパーツの接合部を筒体の端面同士で当接させて筒体にボルトを通してナット掛けすることで、互いのパーツの接合部の筒体を相対回転不能に固定したことを特徴とする美術工芸品。
【請求項２】
様々な形状の複数のパーツに表面処理を施す工程と、表面処理を施した各パーツに接合部取付用の孔を加工する工程と、筒体の外周面に全ネジボルトを取付けた接合部を、その全ネジボルトをパーツに形成した孔に固定して、筒体の外周面をパーツに当接又は近接して固定して取付ける工程と、互いのパーツの接合部を筒体の端面同士で当接させて筒体にボルトを通してナット掛けすることで、互いのパーツの接合部の筒体を相対回転不能に固定して、パーツ同士を連結固定する工程を備えることを特徴とする美術工芸品の製造方法。
【発明の詳細な説明】
【技術分野】
【０００１】
本発明は、美術工芸品と、美術工芸品の製造方法に関する。
【背景技術】
【０００２】
従来の金属製の美術工芸品として代表的なものにブロンズ像がある。ブロンズ像は、仏像、裸婦像などの肖像が大半であり、目新しさが乏しく、現代人のライフスタイルや感性にそぐわないものとなっている。またブロンズ像は、鋳造により一体成形されるため、輸送する際にコンパクトに梱包することができず、海外に輸送しようとすると膨大な輸送コストがかかる。
【発明の概要】
【発明が解決しようとする課題】
【０００３】
本発明は以上に述べた実情に鑑み、多様な抽象的表現が可能であり、しかも輸送コストを削減できる美術工芸品と、美術工芸品の製造方法の提供を目的とする。
【課題を解決するための手段】
【０００４】
上記の課題を達成するために請求項１記載の発明による美術工芸品は、様々な形状の複数のパーツを組み合わせて構成され、各パーツは、接合部がそれぞれ設けてあり、接合部は、所定の長さの筒体と、筒体の外周面に取付けた全ネジボルトを有し、全ネジボルトをパーツに形成した孔に挿入し、孔から突き出た全ネジボルトにナットを螺合して締め付けることで、筒体の外周面をパーツに当接又は近接して固定して取付けてあり、互いのパーツの接合部を筒体の端面同士で当接させて筒体にボルトを通してナット掛けすることで、互いのパーツの接合部の筒体を相対回転不能に固定したことを特徴とする。
【０００５】
請求項２記載の発明による美術工芸品の製造方法は、様々な形状の複数のパーツに表面処理を施す工程と、表面処理を施した各パーツに接合部取付用の孔を加工する工程と、筒体の外周面に全ネジボルトを取付けた接合部を、その全ネジボルトをパーツに形成した孔に固定して、筒体の外周面をパーツに当接又は近接して固定して取付ける工程と、互いのパーツの接合部を筒体の端面同士で当接させて筒体にボルトを通してナット掛けすることで、互いのパーツの接合部の筒体を相対回転不能に固定して、パーツ同士を連結固定する工程を備えることを特徴とする。
【発明の効果】
【０００６】
請求項１記載の発明による美術工芸品は、様々な形状の複数のパーツを組み合わせることで、多様な抽象的表現が可能である。また、パーツ同士が接合・分離可能であるため、輸送する際にはパーツごとにばらしてコンパクトにでき、輸送コストを削減できる。
さらに本発明の美術工芸品は、各パーツに接合部がそれぞれ設けてあり、接合部は、所定の長さの筒体と、筒体の外周面に取付けた全ネジボルトを有し、全ネジボルトをパーツに形成した孔に挿入し、孔から突き出た全ネジボルトにナットを螺合して締め付けることで、筒体の外周面をパーツに当接又は近接して固定して取付けてあり、互いのパーツの接合部を筒体の端面同士で当接させて筒体にボルトを通してナット掛けすることで、互いのパーツの接合部の筒体を相対回転不能に固定したので、分解及び組立が誰にでも簡単に短時間で行えると共に、接合部に筒体を用いたことで、外部に露出しても違和感がなく、美観が害されない。しかも、接合部の筒体をパーツに溶接しないことで、パーツにメッキ等の表面処理を行った後から、パーツの任意の位置に接合部を設けることが可能となり、製作の自由度が向上する。接合部は簡単に取り外せるため、パーツの再利用も容易である。
【０００７】
請求項２記載の発明による美術工芸品の製造方法は、様々な形状の複数のパーツに表面処理を施す工程と、表面処理を施した各パーツに接合部取付用の孔を加工する工程と、筒体の外周面に全ネジボルトを取付けた接合部を、その全ネジボルトをパーツに形成した孔に固定して、筒体の外周面をパーツに当接又は近接して固定して取付ける工程と、互いのパーツの接合部を筒体の端面同士で当接させて筒体にボルトを通してナット掛けすることで、互いのパーツの接合部の筒体を相対回転不能に固定して、パーツ同士を連結固定する工程を備えることで、多様な抽象的表現が可能であるとともに、ナットを外して接合部からボルトを抜けば、パーツ同士が分離可能であるため、輸送する際にはパーツごとにばらしてコンパクトにでき、輸送コストを削減できる。しかも、接合部の筒体をパーツに溶接しないことで、パーツにメッキ等の表面処理を行った後から、パーツの任意の位置に接合部を設けることが可能となり、製作の自由度が向上する。接合部は簡単に取り外せるため、パーツの再利用も容易である。
【図面の簡単な説明】
【０００８】
【図１】本発明に係る美術工芸品の一実施形態を示す斜視図である。
【図２】同美術工芸品のパーツ同士の接合箇所を拡大して示す斜視図である。
【図３】（ａ）は接合部をパーツと分離した状態で示す斜視図であり、（ｂ）は接合部をパートに取付けた状態を示す斜視図である。
【図４】接合部のパーツへの取付状態の例を示す図である。
【図５】同美術工芸品のパーツと台との接合箇所を拡大して示す斜視図である。
【図６】（ａ）は略Ｃ字形のパーツを製作するときの部品ごとに分離した状態を示す分解斜視図であり、（ｂ）は略Ｓ字形のパーツを製作するときの部品ごとに分離した状態を示す分解斜視図である。
【図７】本発明に係る美術工芸品の他の実施形態を示す斜視図である。
【図８】本発明に係る美術工芸品のさらに別の実施形態を示す斜視図である。
【図９】同美術工芸品のパーツ同士の接合箇所を拡大して示す正面図である。
【図１０】同美術工芸品の開閉状態を示す平面図である。
【図１１】本発明に係る美術工芸品の他の実施形態を示す斜視図である。
【図１２】（ａ）は同美術工芸品のパーツ同士の接合箇所を拡大して示す横断面図であり、（ｂ）は同正面図である。
【発明を実施するための形態】
【０００９】
以下、本発明の実施の形態を図面に基づいて説明する。図１は、本発明に係る美術工芸品の一実施形態を示している。本美術工芸品は、二つの略Ｓ字形のパーツ１ａ，１ｂと、一つの略Ｃ字形のパーツ１ｃとを組み合わせて構成され、また、このように三つのパーツ１ａ，１ｂ，１ｃを組み合わせたものを起立して展示しておくための台２とを備えている。本美術工芸品は、略Ｓ字形のパーツ１ａ，１ｂと略Ｃ字形のパーツ１ｃを適宜組み合わせることで、作者の色々な思いや概念を表現する、新しいジャンルのアートである。本美術工芸品は、高さが１〜２ｍほどある。
【００１０】
各パーツ１ａ，１ｂ，１ｃは、金属の鋳物で中空状に形成してあり、表面には星や太陽などを象った多数の穴６が形成してある。このように、パーツ１ａ，１ｂ，１ｃに多数の穴６を開けることで、芸術性を一層高めると共に、軽量化を図ることができる。また各パーツ１ａ，１ｂ，１ｃは、表面にメッキ処理を施してある。
略Ｃ字形のパーツ１ｃは、図６（ａ）に示すように、パーツ１ｃを長手方向に沿って半分の厚みに分割する分割面７ａと、パーツ１ｃを長手方向に分割する分割面７ｂとで分割した４つの部品８ａ，８ｂ，８ｃ，８ｄを鋳造により形成し、これらの部品を溶接することにより製作している。なお、図では省略してあるが、各部品８ａ，８ｂ，８ｃ，８ｄを鋳造する時点で各部品に穴６を形成しておく。
略Ｓ字形のパーツは、図６（ｂ）に示すように、上述の４つの部品８ａ，８ｂ，８ｃ，８ｄの内の先端部側の左右の部品８ｃ，８ｄを中間部で分割面７ｃでさらに分割し、長手方向の分割面７ｂ，７ｃで曲がり方が逆になるようにして各部品８ａ，８ｂ，８ｃ，８ｄ，８ｅ，８ｆを接合することで製作している。この方式によれば、同一の部品から略Ｃ字形のパーツ１ｃと略Ｓ字形のパーツ１ａ，１ｂのどちらでも簡単に製作できる。
【００１１】
各パーツ１ａ，１ｂ，１ｃには、表面の適所に接合部３，３，…が複数設けてある。接合部３，３，…は、図３（ａ）に示すように、１〜２ｃｍ程度の長さに切断した金属製の筒体１３と、筒体１３の外周面に溶接により取付けた全ネジボルト１４を有し、パーツ１ａ，１ｂ，１ｃに形成した雌ネジ孔１５に全ネジボルト１４を螺入して、図３（ｂ）に示すように、筒体１３の外周面をパーツ１ａ，１ｂ，１ｃの表面に当接又は近接して取付けてある。
なお接合部３は、図４（ａ）に示すように、全ネジボルト１４をパーツ１ａ，１ｂ，１ｃの雌ネジ孔１５に螺入するだけで取付けてあってもよいが、図４（ｂ）に示すように、パーツ１ａ，１ｂ，１ｃに形成してある穴６からパーツ１ａ，１ｂ，１ｃ内にナット１６を差し入れ、ナット１６を全ネジボルト１４と螺合して締め付けることもできる。これにより、接合部３をより強固にパーツ１ａ，１ｂ，１ｃに固定することができると共に、筒体１３の軸方向の向きを調節することができる。
【００１２】
そして、パーツ１ａ，１ｂ，１ｃ同士は、図２に示すように、互いの接合部３，３を筒体１３の端面同士で当接させてボルト（軸）４を通し、接合部３から突き出たボルト４のネジ部にナット５を掛けて締付けることで、パーツ１ａ，１ｂ，１ｃ同士を接合している。したがって、ボルト４及びナット５を外すことで、パーツ１ａ，１ｂ，１ｃごとに分離することができ、再び組み立てるのも容易である。各パーツ１ａ，１ｂ，１ｃには、図２に示すように、違った組み方をするときのために、接合部３が余分に設けてある。
図１中の左側上部に位置する略Ｓ字形のパーツ１ｂは、２箇所の接合箇所Ａ，Ｂで他のパーツ１ａ，１ｃと接合されているが、両接合箇所Ａ，Ｂのボルト４の中心軸は一直線上に位置しており、よって両接合箇所Ａ，Ｂのボルト４又はナット５を緩めることで、図中の矢印９に示すように、同パーツ１ｂは接合箇所Ａ，Ｂを支点として向きを変えることができる。
パーツ１ａと台２も、図３に示すように、パーツ１ａと台２にそれぞれ設けた接合部３，３にボルト４を通し、接合部３から突き出たボルト４のネジ部にナット５を掛けて締付けることで、パーツ１ａと台２を接合しており、ボルト４及びナット５を外せば、パーツ１ａと台２を分離できる。
【００１３】
図７は、本発明に係る美術工芸品の他の実施形態を示している。この美術工芸品は、金属の鋳物で中空状に形成された一つの略Ｓ字形のパーツ１ｄと、２つの略Ｃ字形のパーツ１ｅ，１ｆを組み合わせてあり、また、これらを起立して展示しておくための金属製の台２を備えている。パーツ１ｄ，１ｅ，１ｆ同士、パーツ１ｄ，１ｅと台２とは、先に説明した実施形態と同様に、互いの接合部３，３にボルト４を通しナット掛けすることで、接合・分離可能に取付けてある。上部のＣ字形のパーツ１ｆは、図中の矢印９に示すように、パーツ１ｄとの接合箇所を支点に向きを変えられるようになっている。
【００１４】
図８は、本発明に係る美術工芸品のさらに別の実施形態を示している。この美術工芸品は、テーブル脚として用いることができるものである。この美術工芸品は、金属の鋳物で中空状に形成された一対の略Ｃ字形のパーツ１ｇ，１ｇを蝶番１０で連結して構成してある。蝶番１０は、図９に示すように、各パーツ１ｇ，１ｇに円筒状の接合部３，３，３を取付け、接合部３，３，３に上方からピン（軸）１１を挿通し、ピン１１の先端部に止め輪１２を取付けてピン１１を抜け止めしてある。なお、ピン１１と止め輪１２を用いる代わりに、ボルト４とナット５を用いることもできる。
本美術工芸品は、止め輪１２を外してピン１１を抜き取ることで、パーツ１ｇ，１ｇごとに分離することができる。また、図１０に示すように、蝶番１０を支点として２つのパーツ１ｇ，１ｇの間の角度を０°から約９０°の範囲で調整できるため、使用しないときには２つのパーツ１ｇ，１ｇがほぼくっついた状態とすることで、パーツ１ｇ，１ｇごとに分離しなくても狭いスペースに収納できる。
【００１５】
図１１は、本発明に係る美術工芸品の他の実施形態を示している。本美術工芸品は、ブロンズの板で形成した天板（パーツ）１７と左右の側板（パーツ）１８，１８と底板（パーツ）１９を長方形に枠組みし、その内側に垂直板（パーツ）２０を取付けて縦長の長方形の箱状に形成されている。天板１７と垂直板２０には、複雑に入り組んだ切欠き２１と穴２２が形成され、これにより芸術性を高めている。
【００１６】
各パーツ１７，１８，１９，２０には、図１２に示すように、接合部３がそれぞれ設けてある。接合部３は、１〜２ｃｍ程度の長さに切断した金属製の筒体１３と、筒体１３の外周面に溶接により取付けた全ネジボルト１４を有し、各パーツ１７，１８，１９，２０に形成した孔（バカ孔）２３に全ネジボルト１４を挿入し、ナット２４を全ネジボルト１４に螺合して締め付けるか溶接することにより、筒体１３を各パーツ１７，１８，１９，２０に取付けている。そして、２枚のパーツに取付けた接合部３，３を筒体１３の端面同士で当接させてねじ（軸）２５を通すことで、パーツ同士を連結・固定している。手前側の筒体１３にはねじ２５を挿通するバカ孔２６が形成され、奥側の筒体１３にはねじ２５が螺合する雌ネジ孔２７が形成してあり、隣接する筒体１３，１３にねじ２５を通して締め付けるだけで、筒体１３，１３同士を連結・固定できるようになっている。ねじ２５を逆向きに回転させて筒体１３，１３から抜くことで、パーツ同士を分離するのも容易である。
【００１７】
以上に述べたように本美術工芸品は、様々な形状の複数のパーツ１ａ，１ｂ，１ｃ，１ｄ，１ｅ，１ｆ，１ｇ，１７，１８，１９，２０を組み合わせることで、多様な抽象的表現が可能である。自然界にあるものは全て曲線の組合せによってできており、特に略Ｃ字形ないし略Ｓ字形のパーツ１ａ，１ｂ，１ｃ，１ｄ，１ｅ，１ｆ，１ｇを適宜組み合わせることで、人の心に強く訴えかけるような優れたアート作品を生み出すことができる。大きさや形の異なるパーツ１ａ，１ｂ，１ｃ，１ｄ，１ｅ，１ｆ，１ｇを何種類か準備しておき、それらのパーツ１ａ，１ｂ，１ｃ，１ｄ，１ｅ，１ｆ，１ｇを自由に組み合わせることで、無現の表現が可能であり、また、このような標準化されたパーツ１ａ，１ｂ，１ｃ，１ｄ，１ｅ，１ｆ，１ｇの組合せは、多品種少量の逸品作を可能にする。
また、本美術工芸品は、パーツ１ａ，１ｂ，１ｃ，１ｄ，１ｅ，１ｆ，１ｇ，１７，１８，１９，２０同士が接合・分離可能であるため、輸送する際にはパーツ１ａ，１ｂ，１ｃ，１ｄ，１ｅ，１ｆ，１ｇ，１７，１８，１９，２０ごとにばらしてコンパクトにすることができ、輸送コストを削減できる。
さらに、本美術工芸品は、金属製の台２を備えているので、どこにでも簡単に展示することができる。しかも、略Ｃ字形ないし略Ｓ字形のパーツ１ａ，１ｂ，１ｃ，１ｄ，１ｅ，１ｆが台２に接合・分離可能であるため、輸送する際には台２を分離できるので、輸送がしやすい。
また、本美術工芸品は、各パーツ１ａ，１ｂ，１ｃ，１ｄ，１ｅ，１ｆ，１ｇ，１７，１８，１９，２０に接合部３，３，…がそれぞれ設けてあり、接合部３，３にボルト４やねじ２５を通したり、ピン１１を通したりすることで、パーツ１ａ，１ｂ，１ｃ，１ｄ，１ｅ，１ｆ，１ｇ，１７，１８，１９，２０同士を接合・分離可能としたので、分解及び組立が誰にでも簡単に短時間で行える。接合部３，３にボルト４を通してナット掛けした場合には、ボルト４やナット５を締め付けることで、パーツ１ａ，１ｂ，１ｃ，１ｄ，１ｅ，１ｆ同士を強固に固定できる。しかも、接合部３とボルト４の頭やナット５を目立たなくできるので、美観が害されない。
接合部３をパーツ１ａ，１ｂ，１ｃ，１ｄ，１ｅ，１ｆ，１ｇ，１７，１８，１９，２０の表面に溶接により取付ける場合には、各パーツ１ａ，１ｂ，１ｃ，１ｄ，１ｅ，１ｆ，１ｇ１７，１８，１９，２０にメッキ処理を施す前に接合部３を溶接する必要があり、後からパーツ１ａ，１ｂ，１ｃ，１ｄ，１ｅ，１ｆ，１ｇ，１７，１８，１９，２０の組み合わせ方を変更したい場合には、接合部３をサンダー等で削り取ったり、再度のメッキ処理が必要になったりと煩わしい作業が発生する。これに対し本美術工芸品は、接合部３が所定の長さに切断された金属製の筒体１３と、筒体１３の外周面に取付けた全ネジボルト１４とから成り、全ネジボルト１４をパーツ１ａ，１ｂ，１ｃ，１ｄ，１ｅ，１ｆ，１ｇ，１７，１８，１９，２０に形成した孔（雌ネジ孔１５、孔２３）に固定して、筒体１３の外周面１３をパーツ１ａ，１ｂ，１ｃ，１ｄ，１ｅ，１ｆ，１ｇ，１７，１８，１９，２０に当接又は近接して取付けるようにしたので、各パーツ１ａ，１ｂ，１ｃ，１ｄ，１ｅ，１ｆ，１ｇ，１７，１８，１９，２０にメッキ処理を施した後に、任意の位置に孔１５，２３を加工するだけで接合部３を取付けることができ、製作の自由度が向上する。また、接合部３は簡単に取り外せるため、不要になったパーツ１ａ，１ｂ，１ｃ，１ｄ，１ｅ，１ｆ，１ｇ，１７，１８，１９，２０の再利用も容易である。
パーツ１ａ，１ｂ，１ｃ，１ｄ，１ｅ，１ｆ，１ｇに形成された穴６からパーツ内にナット１６を差し入れ、該ナット１６を全ネジボルト１４と螺合して締め付けることで、接合部３をパーツ１ａ，１ｂ，１ｃ，１ｄ，１ｅ，１ｆ，１ｇにより強固に固定することができると共に、筒体１３の軸方向の向きを調節することができる。
さらに、本美術工芸品は、略Ｃ字形ないし略Ｓ字形のパーツ１ｂ，１ｆ，１ｇが、他のパーツとの接合箇所を支点に向きを変更できるため、パーツ１ｂ，１ｆ，１ｇの向きを適宜変えることによって、より多彩な表現が可能で、見るものを飽きさせない。また、パーツ１ｂ，１ｆ，１ｇの向きを変えることで、輸送したりする際に省スペース化を図ることもできる。
【００１８】
本発明は以上に述べた実施形態に限定されない。美術工芸品を構成するパーツの大きさ、形状、材質、個数等は、適宜変更することができる。例えば、Ｃ字形ないしＳ字形のパーツを樹脂で形成することもできる。パーツ同士の連結部、パーツと台との連結部の構造は、繰り返し接合・分離できる構造となっていればよく、ボルト・ナットを使用したものに限定されない。略Ｃ字形ないし略Ｓ字形のパーツをどのようにして作るかは任意であり、必ずしも長手方向に沿って半分の厚みに分割したものを溶接して作る必要はなく、中空状の形のままで鋳造することもできる。
【符号の説明】
【００１９】
１ａ，１ｂ，１ｃ，１ｄ，１ｅ，１ｆ，１ｇ  パーツ
２  台
３  接合部
４  ボルト（軸）
５  ナット
１１  ピン（軸）
１３  筒体
１４  全ネジボルト
１５  雌ネジ孔（孔）
１７  天板（パーツ）
１８  側板（パーツ）
１９  底板（パーツ）
２０  垂直板（パーツ）
２３  孔
２５  ねじ（軸）
【要約】
【課題】  多様な抽象的表現が可能であり、しかも輸送コストを削減できる美術工芸品の提供。
【解決手段】  様々な形状の複数のパーツ１ａ，１ｂ，１ｃ，１ｄ，１ｅ，１ｆ，１ｇを組み合わせて構成され、各パーツは、接合部３がそれぞれ設けてあり、接合部３は、所定の長さの筒体１３と、筒体１３の外周面に取付けた全ネジボルト１４を有し、全ネジボルト１４をパーツに形成した孔１５に固定して、筒体１３の外周面をパーツに当接又は近接して取付けてあり、互いのパーツの接合部３を筒体１３の端面同士で当接させて筒体１３，１３に軸４を通すことで、パーツ同士が接合・分離可能である。
【選択図】      図１【図１】
0006950109.tif 000002
【図２】
0006950109.tif 000003
【図３】
0006950109.tif 000004
【図４】
0006950109.tif 000005
【図５】
0006950109.tif 000006
【図６】
0006950109.tif 000007
【図７】
0006950109.tif 000008
【図８】
0006950109.tif 000009
【図９】
0006950109.tif 000010
【図１０】
0006950109.tif 000011
【図１１】
0006950109.tif 000012
【図１２】
0006950109.tif 000013